(57)【特許請求の範囲】
【請求項１】
無端状フィルムを装填するフィルムフレームに設けられたパイプ状部材保持部に片側端部が保持される２本のパイプ状部材と、
その２本のパイプ状部材の間に掛け渡されて、前記フィルムフレームから突設されたフィルムガイド部材保持部に片側端部を掛けて保持されるフィルムガイド部材を備え、
前記パイプ状部材ならびに前記フィルムガイド部材の片側端部を前記パイプ状部材保持部ならびにフィルムガイド部材保持部にそれぞれ保持することにより、前記パイプ状部材と前記フィルムガイド部材保持部の間で前記フィルムガイド部材をテ―パ状の山形に突出させ、そのフィルムガイド部材の突出状態で前記パイプ状部材とフィルムガイド部材を通して前記無端状フィルムを前記フィルムフレーム側に移動して装填する構成になっていることを特徴とするフィルム装填具。
【請求項２】
請求項１に記載のフィルム装填具において、
前記パイプ状部材が紙筒で構成されていることを特徴とするフィルム装填具。
【請求項３】
請求項１に記載のフィルム装填具において、
前記無端状フィルムが感光体フィルム、転写フィルム、搬送フィルム、定着フィルムのグループから選択されたフィルムであることを特徴とするフィルム装填具。
【請求項４】
請求項１に記載のフィルム装填具において、
前記パイプ状部材の片側端部が、前記パイプ状部材保持部に設けられた溝に挿入・固定されることを特徴とするフィルム装填具。
【請求項５】
請求項４に記載のフィルム装填具において、
前記パイプ状部材の外径Ｄ１が前記溝の外径Ｄ２に対して中間ばめの寸法関係にあって、かつ、前記パイプ状部材の内径Ｄ３が前記溝の内径Ｄ４に対して、溝の入口ではすきまばめ、溝の最深部ではしまりばめの寸法関係にあることを特徴とするフィルム装填具。
【請求項６】
請求項１に記載のフィルム装填具において、
前記パイプ状部材ならびにフィルムガイド部材が前記無端状フィルムの梱包材料で構成されることを特徴とするフィルム装填具。
【請求項７】
請求項１に記載のフィルム装填具において、
前記パイプ状部材とフィルムガイド部材は貼付・接着等で一体になっていることを特徴とするフィルム装填具。
【請求項８】
２本の支持ローラを回転可能に保持したフィルムフレームを画像形成装置の本体から引き出す工程と、
２本のパイプ状部材の片側端部を前記フィルムフレームに設けられたパイプ状部材保持部に保持するとともに、前記パイプ状部材の間に掛け渡されたフィルムガイド部材の片側端部を前記フィルムフレームに突設されたフィルムガイド部材保持部に掛けて保持することにより、前記パイプ状部材とフィルムガイド部材保持部の間で前記フィルムガイド部材をテ―パ状の山形に突出させる工程と、
そのフィルムガイド部材が山形に突出した状態で、無端状フィルムを前記パイプ状部材とフィルムガイド部材を通して前記フィルムフレーム側に移動して装填する工程を
備えていることを特徴とするフィルムの装填方法。
【請求項９】
請求項８に記載のフィルムの装填方法において、
前記無端状フィルムを前記パイプ状部材とフィルムガイド部材に掛けた状態で、前記パイプ状部材ならびにフィルムガイド部材を前記フィルムフレームに保持することを特徴とするフィルムの装填方法。
【請求項１０】
請求項８に記載のフィルムの装填方法において、
前記無端状フィルムが感光体フィルム、転写フィルム、搬送フィルム、定着フィルムのグループから選択されたフィルムであることを特徴とするフィルムの装填方法。
【請求項１１】
無端状フィルムを支持する支持ローラと、
その支持ローラを回転可能に保持するとともに、画像形成装置の本体から引き出すことが可能なフィルムフレームを備え、
そのフィルムフレームに、
２本のパイプ状部材の片側端部を保持するパイプ状部材保持部を設けるとともに、
前記２本のパイプ状部材の間に掛け渡されるフィルムガイド部材の片側端部を保持するフィルムガイド部材保持部を突設して、
前記２本のパイプ状部材の片側端部を前記パイプ状部材保持部に保持し、前記フィルムガイド部材の片側端部を前記フィルムガイド部材保持部に掛けて保持することにより、前記フィルムガイド部材を前記パイプ状部材と前記フィルムガイド部材保持部の間でテ―パ状の山形に突出させて、そのフィルムガイド部材の突出状態で前記パイプ状部材とフィルムガイド部材を通して前記無端状フィルムを前記フィルムフレーム側に移動して装填する構成になっていることを特徴とする画像形成装置。
【請求項１２】
請求項１１に記載の画像形成装置において、
前記無端状フィルムが感光体フィルム、転写フィルム、搬送フィルム、定着フィルムのグループから選択されたフィルムであることを特徴とする画像形成装置。
【請求項１３】
請求項１１に記載の画像形成装置において、
前記パイプ状部材保持部に前記パイプ状部材の片側端部を挿入・固定する溝が設けられていることを特徴とする画像形成装置。
【請求項１４】
請求項１３に記載の画像形成装置において、
前記溝の外径Ｄ２が前記パイプ状部材の外径Ｄ１に対して中間ばめの寸法関係にあって、かつ、前記溝の内径Ｄ４が前記パイプ状部材の内径Ｄ３に対して、溝の入口ではすきまばめ、溝の最深部ではしまりばめの寸法関係にあり、
前記パイプ状部材保持部により前記パイプ状部材をほぼ水平に保持する構成になっていることを特徴とする画像形成装置。
【請求項１５】
請求項１１に記載の画像形成装置において、
前記無端状フィルムの周長が２ｍ以上で、当該フィルムの装填方向の長さが６０ｃｍ以上であることを特徴とする画像形成装置。
【発明の詳細な説明】
【技術分野】
【０００１】
本発明は、画像形成装置のフィルム装填具に関するものであり、特に感光体フィルム、中間転写体フィルム、転写フィルム、搬送フィルム、定着フィルム等、画像形成装置の各部に用いられる無端状に形成されたフィルムの装填具に関するものである。
【背景技術】
【０００２】
図３に、従来技術のフィルム装填法の概略図を示す。フィルムについては、感光体フィルム、中間転写体フィルム、転写フィルム、搬送フィルム、定着フィルム等が挙げられる。図において、１はフィルム、２ａ，２ｂはパイプ、５ａ，５ｂは支持ローラ、８ａ，８ｂはアダプタ、９はガイド部材、１０はフィルムフレームである。
【０００３】
フィルム１を装填する際は、フィルムフレーム１０を図示しない画像形成装置の本体から引き出し、図の様にアダプタ８ａ，８ｂ、及びガイド部材９をフィルムフレーム１０に取り付け、その後、フィルム１を掛けた状態でパイプ２ａ，２ｂをそれぞれアダプタ８ａ，８ｂに挿入してフィルム１を支持する。
【０００４】
ガイド部材９にはテ―パが設けられており、オペレータがフィルム１をフィルムフレーム１０に向けて装填する際にフィルム１の中央部に発生する撓みは、ガイド部材９のテ―パによって保持される形で解消される。また、フィルム１はパイプ２ａ，２ｂにより支持されることで、フィルム１の落下を防止する。
【０００５】
これらにより、表面を傷つけることなくフィルム１をフィルムフレーム１０に装填する仕組みになっている（例えば、特許文献１参照）。
【０００６】
近年の超高速の画像形成装置においては、フィルムの周長は２ｍ以上に及び、その奥行き方向（フィルム装填方向）の長さも６０ｃｍ以上と、長大化、幅広化しつつある。そのため、このような従来方式のフィルム装填法では、長大で幅広なフィルムに対応すべく、ガイド部材９について、テ―パ部の長さおよび装填時のフィルム１の中央部の撓みを保持する区間の幅を長くとる必要があるため、ガイド部材９の奥行き方向（フィルム装填方向）および幅方向（フィルム周長方向）の長さが大きくなり、必然的にガイド部材９が大型になってしまうという問題があった。
【０００７】
また、フィルムフレーム１０にアダプタ８ａ，８ｂ、及びガイド部材９を別途取り付ける必要がある分、フィルム装填に時間がかかり、フィルム装填具のコストが嵩むという問題があった。
【発明の概要】
【発明が解決しようとする課題】
【０００８】
本発明の目的は、フィルム着脱時にフィルム装填部においてフィルムフレームにフィルムガイド部材やアダプタ等を別途取り付けることなく、フィルムが装填可能なフィルム装填具、フィルム装填方法ならびに画像形成装置を提供することにある。
【課題を解決するための手段】
【０００９】
上記目的を達成するため本発明の第１の手段は、フィルム装填具において、
無端状フィルムを装填するフィルムフレームに設けられたパイプ状部材保持部に片側端部が保持される２本のパイプ状部材と、
その２本のパイプ状部材の間に掛け渡されて、前記フィルムフレームから突設されたフィルムガイド部材保持部に片側端部を掛けて保持されるフィルムガイド部材を備え、
前記パイプ状部材ならびに前記フィルムガイド部材の片側端部を前記パイプ状部材保持部ならびにフィルムガイド部材保持部にそれぞれ保持することにより、前記パイプ状部材と前記フィルムガイド部材保持部の間で前記フィルムガイド部材をテ―パ状の山形に突出させ、そのフィルムガイド部材の突出状態で前記パイプ状部材とフィルムガイド部材を通して前記無端状フィルムを前記フィルムフレーム側に移動して装填する構成になっていることを特徴とするものである。
本発明の第２の手段は前記第１の手段において、
前記パイプ状部材が紙筒で構成されていることを特徴とするものである。
本発明の第３の手段は前記第１の手段において、
前記無端状フィルムが感光体フィルム、転写フィルム、搬送フィルム、定着フィルムのグループから選択されたフィルムであることを特徴とするものである。
本発明の第４の手段は前記第１の手段において、
前記パイプ状部材の片側端部が、前記パイプ状部材保持部に設けられた溝に挿入・固定されることを特徴とするものである。
本発明の第５の手段は前記第４の手段において、
前記パイプ状部材の外径Ｄ１が前記溝の外径Ｄ２に対して中間ばめの寸法関係にあって、かつ、前記パイプ状部材の内径Ｄ３が前記溝の内径Ｄ４に対して、溝の入口ではすきまばめ、溝の最深部ではしまりばめの寸法関係にあることを特徴とするものである。
本発明の第６の手段は前記第１の手段において、
前記パイプ状部材ならびにフィルムガイド部材が前記無端状フィルムの梱包材料で構成されることを特徴とするものである。
本発明の第７の手段は前記第１の手段において、
前記パイプ状部材とフィルムガイド部材は貼付・接着等で一体になっていることを特徴とするものである。
本発明の第８の手段はフィルムの装填方法において、
２本の支持ローラを回転可能に保持したフィルムフレームを画像形成装置の本体から引き出す工程と、
２本のパイプ状部材の片側端部を前記フィルムフレームに設けられたパイプ状部材保持部に保持するとともに、前記パイプ状部材の間に掛け渡されたフィルムガイド部材の片側端部を前記フィルムフレームに突設されたフィルムガイド部材保持部に掛けて保持することにより、前記パイプ状部材とフィルムガイド部材保持部の間で前記フィルムガイド部材をテ―パ状の山形に突出させる工程と、
そのフィルムガイド部材が山形に突出した状態で、無端状フィルムを前記パイプ状部材とフィルムガイド部材を通して前記フィルムフレーム側に移動して装填する工程を
備えていることを特徴とするものである。
本発明の第９の手段は前記第８の手段において、
前記無端状フィルムを前記パイプ状部材とフィルムガイド部材に掛けた状態で、前記パイプ状部材ならびにフィルムガイド部材を前記フィルムフレームに保持することを特徴とするものである。
本発明の第１０の手段は前記第８の手段において、
前記無端状フィルムが感光体フィルム、転写フィルム、搬送フィルム、定着フィルムのグループから選択されたフィルムであることを特徴とするものである。
本発明の第１１の手段は画像形成装置において、
無端状フィルムを支持する支持ローラと、
その支持ローラを回転可能に保持するとともに、画像形成装置の本体から引き出すことが可能なフィルムフレームを備え、
そのフィルムフレームに、
２本のパイプ状部材の片側端部を保持するパイプ状部材保持部を設けるとともに、
前記２本のパイプ状部材の間に掛け渡されるフィルムガイド部材の片側端部を保持するフィルムガイド部材保持部を突設して、
前記２本のパイプ状部材の片側端部を前記パイプ状部材保持部に保持し、前記フィルムガイド部材の片側端部を前記フィルムガイド部材保持部に掛けて保持することにより、前記フィルムガイド部材を前記パイプ状部材と前記フィルムガイド部材保持部の間でテ―パ状の山形に突出させて、そのフィルムガイド部材の突出状態で前記パイプ状部材とフィルムガイド部材を通して前記無端状フィルムを前記フィルムフレーム側に移動して装填する構成になっていることを特徴とするものである。
本発明の第１２の手段は前記第１１の手段において、
前記無端状フィルムが感光体フィルム、転写フィルム、搬送フィルム、定着フィルムのグループから選択されたフィルムであることを特徴とするものである。
本発明の第１３の手段は前記第１１の手段において、
前記パイプ状部材保持部に前記パイプ状部材の片側端部を挿入・固定する溝が設けられていることを特徴とするものである。
本発明の第１４の手段は前記第１３の手段において、
前記溝の外径Ｄ２が前記パイプ状部材の外径Ｄ１に対して中間ばめの寸法関係にあって、かつ、前記溝の内径Ｄ４が前記パイプ状部材の内径Ｄ３に対して、溝の入口ではすきまばめ、溝の最深部ではしまりばめの寸法関係にあり、
前記パイプ状部材保持部により前記パイプ状部材をほぼ水平に保持する構成になっていることを特徴とするものである。
本発明の第１５の手段は前記第１１の手段において、
前記無端状フィルムの周長が２ｍ以上で、当該フィルムの装填方向の長さが６０ｃｍ以上であることを特徴とするものである。
【発明の効果】
【００１０】
本発明によれば、フィルムフレームにフィルムガイド部材やアダプタ等を別途取り付けることなく、フィルムの装填が可能となるため、フィルム装填時間の短縮、フィルム装填具のコスト低減が可能となる。
【図面の簡単な説明】
【００１１】
【図１】本発明の実施例に係るフィルム装填具の斜視図である。
【図２】本発明の実施例に係るフィルム装填具の縦断面図である。
【図３】従来のフィルム装填具の斜視図である。
【発明を実施するための形態】
【００１２】
以下、本発明の実施例について説明する。図１は本発明の実施例に係るフィルム装填具の斜視図、図２はそのフィルム装填具の縦断面図である。
【００１３】
これらの図において、１はフィルム、２ａ，２ｂはパイプ、３はガイドシート、４はフィルムフレーム、５ａ，５ｂは支持ローラ、６ａ、６ｂはフランジである。
【００１４】
このフランジ６ａ、６ｂは、フィルムフレーム４に支持ローラ５ａ，５ｂを回転可能に取り付けるための部材である。フィルムフレーム４には、ガイドシート３の片側端部を保持するための保持部７が設けられている。
【００１５】
パイプ２ａ，２ｂとガイドシート３は、貼り付け、接着等による一体構造となっており、フィルム１の搬送や保管に使用する梱包部材であるため、パイプ２ａ，２ｂの材質の一例としては紙筒、ガイドシート３の材質の一例としてはプラスチックシートが挙げられる。
【００１６】
フィルム１を装填する際は、フィルムフレーム４を図示しない画像形成装置の本体から引き出した後、フィルム１を掛けた状態のパイプ２ａ，２ｂとガイドシート３の一体部材について、先ずガイドシート３の片側端部をフィルムフレーム４に設けられた保持部７に掛けて保持し、続いてパイプ２ａ，２ｂをフランジ６ａ、６ｂに挿入する。
【００１７】
フランジ６ａ、６ｂにはパイプ２ａ，２ｂを挿入するための溝を設けており、図２に示すように、パイプ２ａ，２ｂの外径Ｄ１と溝の外径Ｄ２を中間ばめの寸法関係とし、パイプ２ａ，２ｂの内径Ｄ３と溝の内径Ｄ４については、溝の入口ではすきまばめ、溝の最深部ではしまりばめの寸法関係とすることで、パイプ２ａ，２ｂをほぼ水平に固定できるようにする。
【００１８】
これらの操作により、図２に示すようにフィルムフレーム４の保持部７からパイプ２ａ，２ｂの端部（フィルム装填方向とは逆方向の端部）に向ってガイドシート３によるテ―パが形成される。
【００１９】
このようにして形成されたガイドシート３のテ―パによってフィルム１の中央部を、パイプ２ａ，２ｂによりフィルム１の両端部を保持しつつ、フィルム１をフィルムフレーム４に向けて装填することにより、フィルムフレーム４にフィルムガイド部材やアダプタ等を別途取り付けることなく、フィルム１を装填することが可能となる。
【符号の説明】
【００２０】
１：フィルム、２ａ，２ｂ：パイプ、３：ガイドシート、４：フィルムフレーム、５ａ，５ｂ：支持ローラ、６ａ、６ｂ：フランジ、７：保持部。
【先行技術文献】
【特許文献】
【００２１】
【特許文献１】特開２００４−７０２７５号公報
【図１】
0004828652.tif 000002
【図２】
0004828652.tif 000003
【図３】
0004828652.tif 000004